(57)【特許請求の範囲】
【請求項１】
カセットケースに収容されているガス検知テープの搬送路に対向して配置された発光手段と受光手段を収容して、被測定環境に連通する測定室を有する測定ヘッドと、前記測定室に負圧を供給する吸引ポンプと、前記ガス検知テープを一定量ずつ繰り出すテープ送り手段とを函体に収容してなるガス検知テープ式ガス濃度測定装置において、
少なくとも前記吸引ポンプの近傍のエアを換気する換気手段を備えてなるガス検知テープ式ガス濃度測定装置。
【請求項２】
前記吸引ポンプが第２の函体に収容され、第２の函体のエアを換気する換気手段を備えた請求項１に記載のガス検知テープ式ガス濃度測定装置。
【請求項３】
前記換気手段が前記吸引ポンプに連動する第２の吸引ポンプにより構成されている請求項１、または請求項２に記載のガス検知テープ式ガス濃度測定装置。
【発明の詳細な説明】
【０００１】
【発明の属する技術の分野】
本発明は、被検ガスと発色反応する薬剤を含浸させたテープを用いるガス濃度測定装置に関する。
【０００２】
【従来の技術】
テープ状担体に被検ガスと発色反応する薬剤を含浸させたガス検知テープを用いるガス濃度測定装置は、通常、或程度の長さのもの巻回して装置内に収容し、一定時間毎にサンプリング領域に引出してガスと反応させ、このときに生じた反応痕を光学的に検出して電気信号に変換するように構成されている。
この装置によれば、被検ガスのサンプリング時間を調整することにより、極めて希薄なガスの濃度を測定でき、また或程度の記録性を保有しているため、環境中の連続的なモニタリングに広く使用されている。このようなテープは、通常、カセット形式に纏められて測定装置本体に長期間収容されるため、装置を構成している各部材から揮散したガス成分に長時間晒され、変色を来すという不都合を抱えている。
【０００３】
【発明が解決しようとする課題】
本発明はこのような問題に鑑みてなされたものであって、その目的とするところは函体に収容されている状態での変色を可及的に防止することができるガス検知テープ式ガス濃度測定装置を提供することである。
【０００４】
【課題を解決するための手段】
このような問題を解消するために本発明においては、カセットケースに収容されているガス検知テープの搬送路に対向して配置された発光手段と受光手段を収容して、被測定環境に連通する測定室を有する測定ヘッドと、前記測定室に負圧を供給する吸引ポンプと、前記ガス検知テープを一定量ずつ繰り出すテープ送り手段とを函体に収容してなるガス検知テープ式ガス濃度測定装置において、少なくとも前記吸引ポンプの近傍のエアを換気する換気手段を備えるようにした。
【０００５】
【作用】
ポンプを構成する部材から揮散した成分を、吸引ポンプにより換気してテープに到達するのを阻止する。
【０００６】
【発明の実施の形態】
そこで以下に本発明の詳細を図示した実施例に基づいて説明する。
図１は本発明の一実施例を示すものであって、本体ケース１は、ガス検知テープＴを収容したカセット２を保持するカセットホルダ３と後述する吸引ポンプ４とが収容されている。カセット２のテープ露出領域（図中、上端）には、検知テープＴの搬送路に対向して測定ヘッド６が、またテープＴを挟んだ対向側には吸引ヘッド７が進退可能に設けられている。なお、図中符号１９は、テープの送り機構を示す。
【０００７】
測定ヘッド６は、テープＴとの対向面に開口を備えた測定室８に発光ダイオード９とフォトダイオード１０とが、テープＴに形成された反応痕を検出できるような入反射関係を持たせて配置され、さらにパイプ１１により被測定環境に連通するように構成されている。
【０００８】
また、吸引ヘッド７は、測定ヘッド６の測定室８に連通する開口１２を備え、バネ１３により常時測定ヘッド６に弾圧され、管路１４、及びチューブ１５を介して吸引ポンプ４の吸引口に接続され、また図示しない駆動機構により測定ヘッド６に進退可能に可能に構成されている。
【０００９】
吸引ポンプ４は、この実施例ではダイヤフラム２０、２１を対向配置して、交番電流により励磁されるソレノイド２３により一端の軸２２を中心に往復動されるアーム２４で膨張、収縮される２連のダイヤフラムポンプとして構成され、全体を機密性を確保できるポンプ収容ケース１６に収容されている。
【００１０】
一方のダイヤフラム２０に連通する吸引口２５には吸引ヘッド７に接続するチューブ１５が、排出口２６には、チューブ１７を介して函体１の外に開放されている。他方のダイヤフラム２１に連通する吸引口２７はポンプ収容ケース１６に連通され、また排出口２８に接続されたチューブ１８により本体ケース１の外に連通されている。
【００１１】
この実施例において、吸引ヘッド７を押し下げてカセットケース２を装填し、検知テープＴをテープ送り機構１９、及び測定ヘッド６と吸引ヘッド７との間にセットする。
【００１２】
この状態で、電源を投入すると、吸引ポンプ４の一方のダイヤフラム２０からの吸引圧が吸引ヘッド７に作用してパイプ１１８を経由して測定ヘッド６に被測定ガスが吸い込まれ、吸引ヘッド７を経由して本体ケース１の外に排出される。同時に他方のダイヤフラム２１からは、ポンプ収容ケース１６の空気を吸引してチューブ１８を介して本体ケース１の外に排出される。
【００１３】
被検ガスは、検知テープＴを通過する過程で検知テープＴ上の薬剤と反応し、テープＴの表面に被検ガスの濃度に対応した光学的濃度の反応痕を生じさせる。発光ダイオード９から放射された光は、検知テープＴ表面に形成された反応痕の光学的濃度に応じて吸収を受けて反射され、フォトトランジスタ１０に入射して電気信号に変換され、測定信号として図示しないモニタに出力される。
【００１４】
このようにして１サンプリング分の測定が終了した時点で、テープ送り信号が出力されて測定ヘッド６に検知テープＴの未使用部分が位置し、次の測定が開始される。
【００１５】
ところで、長時間の動作によりダイヤフラム２０、２１や、またソレノイド２３を構成している絶縁材等から、これらに含まれる成分が揮散するが、ポンプ４は、ポンプ収容ケース１６によりカセット２の領域と遮断され、またポンプ４の他方のダイヤフラム２１によりポンプ収容ケース１６に負圧が作用して開口２９からエアが流入して換気されているため、これら成分はテープＴに到達することなくケース１の外に排出され、テープＴを変色させることはない。
【００１６】
なお、上述の実施例においては、２連のポンプを使用し、ガスサンプリングとエア排出を１台のポンプにより実行しているが、それぞれ独立したポンプを使用しても同様の作用を奏することは明らかである。
【００１７】
また、上述の実施例においては、ポンプ４をケース１６に収容し、このケース１６のエアを換気するようにしているが、本体ケース１の容積に対して換気側のダイヤフラム２１の排気量が大きい場合には、図２に示したようにポンプ４をポンプ収容ケース１６に収容すること無く、本体ケース１のエアを換気しても同様の作用を奏する。
【００１８】
【発明の効果】
以上、説明したように本発明においては、カセットケースに収容されているガス検知テープの搬送路に対向して配置された発光手段と受光手段を収容して、被測定環境に連通する測定室を有する測定ヘッドと、測定室に負圧を供給する吸引ポンプと、ガス検知テープを一定量ずつ繰り出すテープ送り手段とを函体に収容してなるガス検知テープ式ガス濃度測定装置において、少なくとも吸引ポンプの近傍のエアを換気する換気手段を備えたので、ポンプを構成する部材から揮散した成分を吸引ポンプにより換気してテープに到達するのを阻止することができる。
【図面の簡単な説明】
【図１】本発明の一実施例を示す図である。
【図２】本発明の他の実施例を示す図である。
【符号の説明】
１  本体ケース
２  カセット
４  ポンプ
６  測定ヘッド
７  吸引ヘッド
１５、１７、１８  接続用チューブ
１６  ポンプ収容ケース
１９  テープ送り機構
Ｔ  ガス検知テープ
【図１】
0003829960.tif 000002
【図２】
0003829960.tif 000003